(57)【要約】【課題】  インクジェットプリンタ装置に装着する印刷媒体が装填された専用ケースに付された識別子から専用ケースに装填している印刷媒体を自動認識する。【解決手段】  印刷媒体が装填された専用ケースに一部分導通部分を設け、その設置位置を見極めるセンサを設けることで、ケース内の媒体を判断する。【選択図】  図１
2005074703.tif 000002
【特許請求の範囲】
【請求項１】
印字ヘッドを主走査方向に移動し、印字媒体を主走査方向に対して鉛直方向に移動させ、所望の画像を印字媒体に記録する方式によってなす、プリンタ装置において、印字装置に挿入する定型用紙にあわせたうち側を具備するカートリッジ手段において、
前記カートリッジに一筆書きのプリントパタンを具備することを特徴とするカートリッジであることを特徴とする。
【請求項２】
上記プリントパタンは一定の距離をおいて、その長辺の両端がコイル状になっていることを特徴とする。
【請求項３】
上記プリントパタンのコイルはあらかじめ決められた固有共振周波数を持つことを特徴とする。
【請求項４】
上記プリントパタンのコイルの一端はすべてのカートリッジに共通したコイル形状をなすことを特徴とする。
【請求項５】
上記プリントパタンのコイルの他方の一端はカートリッジの種類によってあらかじめ決められた形状を具備することを特徴とする。
【請求項６】
上記プリントパタンのコイルはアルミニウムの薄膜を使っていることを特徴とする。
【請求項７】
上記プリントパタンのコイルは銅、鉄等の導電材料で構成することを特徴とする。
【請求項８】
上記プリントパタンのコイルは粘着体に線材を貼り付けた形態により構成することを特徴とする。
【請求項９】
前記インクジェットプリンタ装置内部には、複数の予め決められた固定周波数を発生する手段をもつことを特徴とする。
【請求項１０】
前記インクジェットプリンタ装置内部において、前記周波数発生装置に連結して一端がコイル状の回路を構成する発振回路手段を具備することを特徴とする。
【請求項１１】
前記インクジェットプリンタ装置内部において、前記発振回路手段は前記カートリッジ手段が前記インクジェットプリンタ装置に装填されたときに、前記プリントパタンのうちのカートリッジ毎に予め設定した固有共振周波数を持つ前記プリントパタンのコイルと近接して対抗することを特徴とする。
【請求項１２】
前記対抗するコイルは電磁気的接触をしつつも、物理接触は行わないことを特徴とする。
【請求項１３】
前記インクジェットプリンタ装置内部において、電気的増幅回路とコイル回路ダイオード回路および静電容量回路抵抗回路からなる、受信回路網を持つことを特徴とする。
【請求項１４】
前記受信回路網において、銅回路網内部に具備するコイル回路は前記カートリッジ手段が前記インクジェットプリンタ装置に装填されたときに、前記プリントパタンのうちのカートリッジの種類にかかわらずに予め設定した固有共振周波数を持つ前記プリントパタンのコイルと近接して対抗することを特徴とする。
【請求項１５】
前記対抗するコイルは電磁気的接触をしつつも、物理接触は行わないことを特徴とする。
【請求項１６】
上記カートリッジ手段に単数、あるいは複数の導電手段を講じてなし、あらかじめ決められた位置にその導電手段を配置することを特徴とする。
【請求項１７】
上記カートリッジ手段の前記導電手段を介して、電流を流すことを特徴とする。
【請求項１８】
上記導電手段の設置位置は前記カートリッジ手段の種類によって、あらかじめきめられた位置に配置されていることを特徴とする。
【請求項１９】
上記カートリッジ手段に設置した前記導電手段の数と、前記電流を流すためのコンタクト手段の数は任意であることを特徴とする。
【請求項２０】
上記カートリッジ手段の設定種類数は前記導電手段によって不足なく表現できることを特徴とする。
【請求項２１】
前記インクジェットプリンタ装置内部において、前記周波数発生装置に連結して一端が分周回路手段を具備することを特徴とする。
【請求項２２】
前期インクジェットプリンタ装置内部において、周波数成分を電圧に変換する手段を具備することを特徴とする。
【発明の詳細な説明】
【技術分野】
【０００１】
本発明は、印字ヘッドを移動させつつ印字媒体を繰り上げながら印字媒体に記録を行うプリンタ装置において、該プリンタ装置に装着し、その印字媒体の固有情報を該プリンタ装置に知らしめる検出手段に関するものである。
【背景技術】
【０００２】
従来のインクジェットプリンタ装置は、一般にプリンタ装置用の印刷媒体を前記インクジェットプリンタ装置に装填し、前記インクジェットプリンタ装置に予め接続してある、パーソナルコンピュータ等（以下ＰＣと呼称する）の演算装置から送られてくるデータを予め上記ＰＣから決められたデータの印字形式とサイズ、および、範囲にしたがって印字動作をおこなうことでなされていた。また、昨今、ＵＩと言われる、機器とユーザとの接触点を安易化する目的と、付加価値の創造からメディアパックと呼称される、専用紙装填済みカートリッジの普及が見られるようになってきていて、それらは、そのカートリッジに印刷等で示されている、印刷媒体の種類をＰＣでの印刷時にＰＣにインストールしてある、前記インクジェットプリンタのプリンタドライバの印刷支援プログラムに設定することで、手軽に高品位な印字が間違いなく行えるようになっている。しかしながら、ＰＣから送られてくるデータ形式や印字範囲によって一義的に決定される印刷は、前記印刷媒体との調和がなされていることが前提で行われているものであり、仮に印刷媒体と印刷範囲が誤った情報で構成された場合には、前記印刷媒体の装填範囲外への印刷や、あるいは、高品位な印刷が可能ならしめる媒体に対し、低品位な印字を行う等の不本意な結果を招くことになるものである。また、前記メディアパックを使用したとしても、プリンタドライバなる印刷支援プログラムへの設定を誤った場合は同様に不本意な印刷結果となることしかりである。それらを解決するために、前記メディアパックにおいては、メディアパックカートリッジが前記インクジェットプリンタに装填されたと同時に、前記メディアパックカートリッジを判別する手段を講じてユーザの設定ミスによる、前記不本意印刷の消滅を行っている。
【特許文献１】特開２００１−２１２９８６号公報
【発明の開示】
【発明が解決しようとする課題】
【０００３】
しかし、前記メディアパックカートリッジの検出手段として、従来はメディアパックに個別の電極用導電板や、反射板を金属あるいは印刷等で具備し、前記インクジェットプリンタ装置の内部にはおのおの前記電極用導電板や、反射板にたいして、接触用電極とそれに一対で対応する検出用ポート（ポートは前記インクジェットプリンタ装置のＣＰＵや、ＡＳＩＣ、あるいはＩＯエキスパンダ手段に具備している）や、反射型光センサー手段と検出用ポートを具備する必要があり、これらは、検出用半導体のポート数や、光センサを必要とし、機能としては単純ながら非常にコストのかかる検出手段であった。
【課題を解決するための手段】
【０００４】
本発明によれば、上記手段のように、複数の前記メディアパックカートリッジに対しても、それに対して一対のポートを持つことなく、あるいは、一対の光センサ、かつ、高価な光センサを使用せずに、Ａ／Ｄポートひとつによる電圧検出手段を設けることにより、安価な構成で、前記メディアパックカートリッジの検出を可能ならしめるものである。
【発明の効果】
【０００５】
本発明によれば、すべての情報を電圧値１種類に統合することにより、ＣＰＵに一般に具備するＡ／Ｄ１ポートで検出することができるので、その構成は単純であり、かつ、非常に安価に構成できる。
【発明を実施するための最良の形態】
【０００６】
(実施例１)
図１は、本発明をもっともよくあらわす実施形態例１である。１は、本発明を実施したインクジェットプリンタ用印刷媒体を収納した、メディアパックを模式的にあらわしたものであり、本発明の部分のみ示している。２は本発明を模式的に表したプリントパタンを施したシールであり、前記１のメディアパックにはりつけてある様子を示している。３は前記シールに施してあるパタンをあらわしていて、このパタンは前記メディアパック１の長辺方向の両端にコイル形状を施していて、パタンは一筆書きで形成されている。４はインクジェットプリンタ装置の前記メディアパックの装填するアタッチ部の一部であり、本発明を実施している部分のみを模式的に示している。５はアルミのプリントパタンで作られたコイル部と後述の発振手段に接続するためのコイル回路部分である。これらのパタンは前記シール２同様、薄膜で構成している。６は前記アルミのプリントパタン５に接続し、前記アルミのプリントパタンに予め決められた周波数の交流電流を流すための発振手段である。７は前記シール素材（不図示）に形成した、前記アルミのプリントパタン５同様にコイルを形成し、回路としている受信アンテナ手段である。８は前記受信アンテナ手段７に直列に接続し、前記受信アンテナ７が発生させる交流電流（不図示）を半波に整流する半波整流手段である。９は前記半波整流手段８と前記受信アンテナ手段、さらに、接地電圧に接続していて、前記半波整流手段８からの出力電流を平滑化させ、直流電圧に変換する容量手段である。１０は前記容量手段に接続し、前記容量手段９からの直流電圧を測定・判断するためのＣＰＵ内部に構成してある、Ａ／Ｄ変換手段である。
【０００７】
本図を使って実施例を説明する。なお、前記パタン３左のコイル形成方向とコイル回路５は向かい合った場合は同じ方向への巻き線、前記パタン右のコイル形成方向と受信アンテナ手段７の巻き線構成方向は透視方向での同一面では同じ巻き線方向となっている。いま、前記メディアパック１が前記インクジェットプリンタ装置のメディア装填口（不図示）に挿入したとき、前記メディアパック１は予め決められた導入ガイドに従い前期アタッチ部４に正対する位置関係で停止し、前期コイル部３左と前期回路部５および、前記コイル部３右と前記受信アンテナ７はぴったりと同じパタンが重なるような位置関係で、停止する。前記メディアパック１が挿入されると、前記インクジェットプリンタ装置４は、前記発振手段６を用いて交流電流を発生する。前記発振手段６で発生させた交流電流は前記回路５を使って再び前記発振手段６に戻ってくる。同時に前記回路５には渦電流が発生する。発生した渦電流は電磁誘導によって、正対するコイル３左に伝わり、励起された電流は前記コイル３右に伝導する。前記コイル３右にも先ほどと同様の渦電流が発生し、正対する受信アンテナ７が電磁誘導によって励起される。前記受信アンテナ７に励起した起電力は前記半波整流手段８によって整流され、前記容量手段９によって、平滑されて、前記ＣＰＵ１０に構成している前記Ａ／Ｄコンバータに電圧値として認識される。この回路系において、前記メディアパック１に装填されている、メディアの種類（本実施例においては３種類）によって、前記コイル部３左の巻き線長が異なっているのと同時に、巻き線密度が変化しており、コイル部３左の回路における固有共振周波数が異なっている。また、この回路系において、前記発振手段６から、発振される交流電流は３種類の周波数をもちいていて、それぞれ、前記メディアパック１に貼付されているシール２に構成するコイル部３左の固有共振周波数に近似している。前記メディアパック１が実装すると、前記インクジェットプリンタは前記発振手段６から３種類の交流電流はそれぞれ発生させる。そのときに、前記Ａ／Ｄ１０に発生する電圧値をそれぞれモニターすることで、一番電圧値の高かった周波数に一対一で対応する前記メディアパックであることが判定できる。
(実施例２)
図２は本発明を施した他の実施例であり、１０１は前記メディアパック１と同様のメディアパックである。１０２、１０３、１０４は前記メディアパック１０１に貼付し、前記メディアパックに装填されているメディアの種類によってその貼付位置を指定している、導電素材でできている薄膜のシール手段である。１０５は前記インクジェットプリンタ装置の前記メディアパックの装填するアタッチ部の一部であり、本発明を実施している部分のみを模式的に示している。１０６〜１１３は前記アタッチ部１０５に取り付いて、前記メディアパック１０１に貼付されている、導電シール１０２、１０３、１０４のいずれかに前記メディアパック１０１装着時にはそれぞれ電気的、物理的に接触している。１０８は前記インクジェットプリンタ装置内部にあって直流電圧源に接続され、別端は前記アタッチ部１０６および、その他の抵抗体１１１に接続している。前記そのほかの抵抗体１１１は前記抵抗体１０８と同一の抵抗値をもつ抵抗体で別端は前記アタッチ部１０９とその他の抵抗体１１４に接続されている。前記そのほかの抵抗体１１４は前記抵抗体１１１と同一の抵抗値をもつ抵抗体で別端は前記アタッチ部１１２と接地部に接続されている。前記アタッチ部１０７、１１０、１１３はそれぞれ電気的・物理的に接続され、さらにそれらは前記ＣＰＵ１０の中に構成しているＡ／Ｄコンバータに接続されている。いま、前記メディアパック１０１が前記インクジェットプリンタ装置のメディア装填口（不図示）に挿入したとき、前記メディアパック１０１は予め決められた導入ガイドに従い前期アタッチ部１０５に正対する位置関係で停止し、前期薄膜シール手段１０２に対し、前記アタッチ部１０６、１０７、前記薄膜シール手段１０３に対し前記アタッチ部１０９、１１０、前記薄膜シール手段１０４に対し前記アタッチ部１１２、１１３が正対するような位置関係で、停止する。ただし、この前記薄膜シール手段１０２、１０３、１０４は前記メディアパック１０１の中に装填しているメディアの種類によって、前記薄膜シール手段１０２、１０３、１０４のいずれかひとつが貼られている。前記メディアパック１０１が挿入されると、前記インクジェットプリンタ装置１０５は、内部電源を前記抵抗体１０８に印加する（不図示）。いま、前記メディアパック１０１には１０２の位置に前記薄膜シール手段１０２が貼ってあるとする。印加された電圧は前記抵抗体で制限を受けながら、回路的に接続している前記抵抗体１１１、１１４をとおって前記接地部へ電流となって流れると同時に、前記アタッチ部１０６に電圧を発生する。前記１０６のアタッチ部に発生した電圧は、電気的物理的に接触している、前記薄膜シール手段１０２を通して前記アタッチ部１０７に電圧を伝える。前記アタッチ部１０７に伝わった電圧は、前記インクジェットプリンタ装置１０５内部の回路をとおり、前記ＣＰＵ１０の中に構成するＡ／Ｄコンバータに電圧情報として伝達する。このとき、前記アタッチ部１０９および、１１３にもそれぞれ異なる電圧が情報として発生しているが、このメディアパック１０１には前記薄膜シール手段１０２のみが貼付されているので、これらの情報は前記ＣＰＵに構成するＡ／Ｄコンバータに伝達されない。次に、前記メディアパック手段の１０３の位置に前記薄膜シール手段１０３が貼付してある場合の動作を説明すると、前記印加された電圧は前記抵抗体で制限を受けながら、回路的に接続している前記抵抗体１１１、１１４をとおって前記接地部へ電流となって流れると同時に、前記アタッチ部１０６、１０９、１１２に電圧を発生する。しかしながら、前記メディアパック１０１には前記薄膜シール手段１０３が貼付された前記メディアパック１０１が装着しているので、前記アタッチ部１０７、１１０、１１３のうち、前記アタッチ部１１０のみに電圧情報が発生する。この電圧情報は前記抵抗体１０８、１１１、１１４の前記抵抗体の電圧分圧によって発生させる構成であるので、前記抵抗体１０８、１１１を経た電圧信号である、前記アタッチ部１１０の情報は先の説明で得た前記アタッチ部１０７の電圧情報よりも低電圧情報であることがわかる。前記ＣＰＵに構成するＡ／Ｄコンバータではこの前記アタッチ部１１０からの電圧情報を読み取ることでどの位置に貼付した前記薄膜シール手段を持つ前記メディアパック１０１であるかを判断する。
(実施例３)
図３は本発明を施した第三の実施例であり、２０１は前記メディアパック１と同様のメディアパックである。２０２、２０３、２０４は前記メディアパック２０１に貼付し、前記メディアパックに装填されているメディアの種類によってその貼付位置を指定している、導電素材でできている薄膜のシール手段である。２０５は前記インクジェットプリンタ装置の前記メディアパックの装填するアタッチ部の一部であり、本発明を実施している部分のみを模式的に示している。２０６、２０８、２１０、２１２は前記アタッチ部２０５に取り付いて、前記メディアパック２０１に貼付されている、導電シール２０２、２０３、２０４に前記メディアパック２０１装着時にはそれぞれ電気的、物理的に接触している。２１４は前記インクジェットプリンタ装置内部にあって直流電圧源に接続され、別端は前記アタッチ部２０６および、その他の抵抗体２０７に接続している。さらに、抵抗体２０９、２１１、２１３と前記ＣＰＵ１０に構成するＡ／Ｄコンバータに接続している。前記抵抗体２１４の別端は接地部に接続されている。いま、前記メディアパック２０１が前記インクジェットプリンタ装置のメディア装填口（不図示）に挿入したとき、前記メディアパック２０１は予め決められた導入ガイドに従い前期アタッチ部２０６に正対する位置関係で停止し、前期薄膜シール手段２０２に対し、電気的物理的に接触した状態になる。このときの前記アタッチ部２０７は前記メディアパック２０１に前記薄膜シール手段２０２、２０３、２０４のどのパタンのシールが貼られていたとしても電気的物理的に接触する位置に設置している。そして、前記薄膜シール手段２０２、２０３、２０４は前記メディアパック２０１に対して、本実施例においては左端を同じ位置に合わせた状態で右端の長さを異なる長さ形状としている。この前記薄膜シール手段２０２、２０３、２０４は前記メディアパック２０１の中に装填しているメディアの種類によって、前記薄膜シール手段２０２、２０３、２０４のいずれかひとつが貼られている。前記メディアパック２０１が挿入されると、前記インクジェットプリンタ装置２１４は、内部電源を前記抵抗体２１５に印加する（不図示）。いま、前記メディアパック２０１には２０２の位置に前記薄膜シール手段２０２が貼ってあるとする。印加された電圧は前記抵抗体２０５で制限を受けながら、回路的に接続している前記抵抗体２１３をとおって前記接地部へ電流となって流れると同時に、前記アタッチ部２０６に電圧を発生する。前記２０６のアタッチ部に発生した電圧は、電気的物理的に接触している、前記薄膜シール手段２０２を通して前記アタッチ部２０８に電圧を伝える。前記アタッチ部２０８に伝わった電圧は、前記抵抗体２０９を通し、これらの情報は前記ＣＰＵに構成するＡ／Ｄコンバータに伝達される。また、前記薄膜シール手段が２０３の場合の例を示すと、前記薄膜シール手段２０９に与えられた電圧信号は同時に前記薄膜シール手段２０３を通して前記アタッチ部２１０をも通し前記抵抗体２１１に電圧信号を与える。これらは、前記抵抗体２０９、２１１が並列に配置しているので、その並列合成抵抗と前記抵抗体２０５、２０７の直列合成抵抗との直列接続と、前記抵抗体２１３との分圧電圧情報として，前記ＣＰＵ１０に構成するＡ／Ｄコンバータに印加することで、前記メディアパック２０１の種類を判断することができる。
(実施例４)
図４は本発明を施した他の実施例であり、４０１は前記メディアパック１と同様のメディアパックである。４０２、４０３、４０４は前記メディアパック４０１に貼付し、前記メディアパックに装填されているメディアの種類によってその貼付位置を指定している、導電素材でできている薄膜のシール手段である。４０５は前記インクジェットプリンタ装置の前記メディアパックの装填するアタッチ部の一部であり、本発明を実施している部分のみを模式的に示している。４０６〜４１１は前記アタッチ部４０５に取り付いて、前記メディアパック４０１に貼付されている、導電シール４０２、４０３、４０４に前記メディアパック４０１装着時にはそれぞれ電気的、物理的に接触している。４１７は前記インクジェットプリンタ装置内部にあって、あらかじめ決められた周波数を発生させている発振手段である。４１２は前期発振手段４１７からの信号をうけて、前期発振手段４１７の発振周波数を１／２し、かつ、アタッチ部４０６に信号を伝達する分周手段である。４１３と４１４は前期分周手段４１２からの信号を１／２し、かつ、アタッチ部４０８に信号を伝達する分周手段である。４１５と４１６は前期分周手段４１４からの信号を１／２し、かつ、アタッチ部４１０に信号を伝達する分周手段である。４１８および、４１９は前期アタッチ部４０７または４０９または４１１からの信号を受け、その信号を周波数―電圧変換するための、濾過器手段である。前期濾過器手段４１８および４１９の一端は、前記ＣＰＵ１０の中に構成しているＡ／Ｄコンバータに接続されている。いま、前期薄膜シール手段４０２が貼付してある、前期メディアパック４０１を例にとって、その動作を説明する。前記メディアパック４０１が前記インクジェットプリンタ装置のメディア装填口（不図示）に挿入したとき、前記メディアパック４０１は予め決められた導入ガイドに従い前期アタッチ部４０５に正対する位置関係で停止し、前期薄膜シール手段４０２に対し、前記アタッチ部４０６、４０７が正対するような位置関係で、停止する。（ただし、この前記薄膜シール手段４０２、４０３、４０４は前記メディアパック４０１の中に装填しているメディアの種類によって、前記薄膜シール手段４０２、４０３、４０４のいずれかひとつが貼られている）前記メディアパック４０１が挿入されると、前記インクジェットプリンタ装置４０５は、前期発振手段４１７からあらかじめ決められたクロック（本実施例においては、０．４８Ｍｈｚ）を発信し始める。前記メディアパック４０１には４０２の位置に前記薄膜シール手段４０２が貼ってあるので、印加された信号は前記分周手段４１２を通って前記発信手段の半分の周波数になり、前記アタッチ部４０６に到達する。そして、前記薄膜シール手段４０２を経て前記アタッチ手段４０７に伝わり、前記濾過器手段４１８に伝わる。前記濾過器手段４１８、４１９によって、クロック信号は電圧変換され、前記ＣＰＵの中に構成するＡ／Ｄコンバータに電圧信号として伝わり、電圧値を検知する。次に前記薄膜シール手段４０２が４０３の位置にあった場合の説明をする。前記メディアパック４０１が挿入されると、前記インクジェットプリンタ装置４０５は、前期発振手段４１７からあらかじめ決められたクロック（本実施例においては、０．４８Ｍｈｚ）を発信し始める。前記メディアパック４０１には４０３の位置に前記薄膜シール手段４０３が貼ってあるので、印加された信号は前記分周手段４１２を通って前記発信手段の半分の周波数になり、さらに前記分周手段４１３と４１４を通り１／４の周波数になり、前記アタッチ部４０８に到達する。そして、前記薄膜シール手段４０３を経て前記アタッチ手段４０９に伝わり、前記濾過器手段４１８に伝わる。前記濾過器手段４１８、４１９によって、クロック信号は電圧変換され、前記ＣＰＵの中に構成するＡ／Ｄコンバータに電圧信号として伝わり、電圧値を検知する。この電圧は、前記分周期によって、周波数が１／４になっているため、前記濾過手段に於ける減衰が少ないために、前記薄膜シール手段４０２の位置に於ける検知電圧よりも高い電圧値である。同様にして、前記薄膜シール手段４０４の位置に前記薄膜シール手段があった場合には前記薄膜シール手段とは異なる電圧情報（前記発振手段の基本周波数の１／８になるため減衰量も一番少なくなる）として、前記ＣＰＵ１０に構成するＡ／Ｄコンバータが検知することとなり、前記メディアパック４０１の中に装填してある印刷媒体の種類を判別することを可能とする。
【図面の簡単な説明】
【０００８】
【図１】本発明を実施した説明図
【図２】本発明を実施した第二の実施例の説明図
【図３】本発明を実施した第三の実施例の説明図
【図４】本発明を実施した第三の実施例の説明図
【符号の説明】
【０００９】
１０１、２０１  メディアパック
２  シール手段
３  プリントパタン
４、１０５、２１４  インクジェットプリンタ装置
５  回路パタン
６  発振手段
７  受信アンテナ手段
８  半波整流手段
９、４１９  容量手段
１０  ＣＰＵに構成したＡ／Ｄコンバータ
１０２、１０３、１０４  薄膜シール手段
２０２、２０３、２０４  薄膜シール手段
１０８、１１１、１１４、２０５、２０７、２０９、２１１、２１３、４１８  抵抗手段
４１２、４１３、４１４、４１５、４１６  クロック分周手段
【図１】
2005074703.tif 000003
【図２】
2005074703.tif 000004
【図３】
2005074703.tif 000005
【図４】
2005074703.tif 000006